【手続補正書】
【提出日】平成19年2月13日(2007.2.13)
【手続補正１】
【補正対象書類名】特許請求の範囲
【補正対象項目名】全文
【補正方法】変更
【補正の内容】
【特許請求の範囲】
【請求項１】
ライセンサが要求者にデジタルライセンスを発行して前記要求者が対応するデジタルコンテンツをレンダリングすることができるようにするための方法であって、前記ライセンサは、前記要求者についてのリストを含むディレクトリへのアクセスを有し、前記リストは、前記要求者の識別子と、前記要求者がメンバである各グループの識別子とを含み、前記方法は、
前記要求者から要求を受け取ることであって、前記要求は、前記要求者を識別する識別子を含む送信された証明書と、前記コンテンツと関連付けられた権利データを含む署名済み権利ラベルとを含み、前記権利データは、複数の識別子とリストされた各識別子について該識別子と関連付けられた権利とをリストすることと、
前記要求者の前記識別子を前記ディレクトリで見つけることと、
前記ディレクトリで見つけた前記要求者の前記識別子から、前記要求者がメンバである各グループの前記識別子を前記ディレクトリで見つけることと、
前記見つけた要求者の識別子および前記見つけた各グループの識別子のそれぞれを前記権利データにリストされた複数の識別子のそれぞれと比較して一致するものを見つけることと、
前記一致する識別子と関連付けられた前記権利データの権利を用いて前記要求者に前記ライセンスを発行することと
を備えることを特徴とする方法。
【請求項２】
前記要求者を識別する前記識別子を有するデジタル証明書を含む要求を前記要求者から受け取ることを備えることを特徴とする請求項１に記載の方法。
【請求項３】
前記権利データと該権利データに基づくデジタル署名を含む要求を前記要求者から受け取ることを備えることを特徴とする請求項１に記載の方法。
【請求項４】
前記デジタル署名を検証することをさらに備えることを特徴とする請求項３に記載の方法。
【請求項５】
前記見つけた前記要求者の識別子および前記見つけた前記グループの各識別子のそれぞれについて、
当該識別子を前記権利データにリストされた各識別子と比較して、
前記比較した識別子が一致する識別子であるかどうかを認識して、
その結果少なくとも２つの一致する識別子を得ることと、
前記一致する識別子の１つを選択することと、
前記選択した一致識別子と関連付けられた前記権利を用いて前記要求者に前記ライセンスを発行することと
を備えることを特徴とする請求項１に記載の方法。
【請求項６】
前記要求者に最大の権利を譲渡する前記一致する識別子を選択することを備えることを特徴とする請求項５に記載の方法。
【請求項７】
前記権利データ中の各識別子は、対応する優先度の印を有し、前記方法は、最大の優先度の印を有する前記一致する識別子を選択することを備えることを特徴とする請求項５に記載の方法。
【請求項８】
ライセンサが要求者にデジタルライセンスを発行して前記要求者が対応するデジタルコンテンツをレンダリングすることができるようにするための方法を実行するコンピュータ実行可能命令が格納されたコンピュータ可読媒体であって、前記ライセンサは、前記要求者についてのリストを含むディレクトリへのアクセスを有し、前記リストは、前記要求者の識別子と、前記要求者がメンバである各グループの識別子とを含み、前記方法は、
前記要求者から要求を受け取ることであって、前記要求は、前記要求者を識別する識別子を含む送信された証明書と、前記コンテンツと関連付けられた権利データを含む著名済み権利ラベルとを含み、前記権利データは、複数の識別子とリストされた各識別子について該識別子と関連付けられた権利とをリストすることと、
前記要求者の前記識別子を前記ディレクトリで見つけることと、
前記ディレクトリで見つけた前記要求者の前記識別子から、前記要求者がメンバである各グループの前記識別子を前記ディレクトリで見つけることと、
前記見つけた要求者の識別子および前記見つけた各グループの識別子のそれぞれを前記権利データにリストされた複数の識別子のそれぞれと比較して一致を見つけることと、
前記一致する識別子と関連付けられた前記権利データの権利を用いて前記要求者に前記ライセンスを発行することと
を備えたことを特徴とするコンピュータ可読媒体。
【請求項９】
前記方法は、前記要求者を識別する前記識別子を有するデジタル証明書を含む要求を前記要求者から受け取ることを備えたことを特徴とする請求項８に記載のコンピュータ可読媒体。
【請求項１０】
前記方法は、前記権利データと該権利データに基づくデジタル署名を含む要求を前記要求者から受け取ることを備えたことを特徴とする請求項８に記載のコンピュータ可読媒体。
【請求項１１】
前記方法は、前記デジタル署名を検証することをさらに備えたことを特徴とする請求項１０に記載のコンピュータ可読媒体。
【請求項１２】
前記方法は、
前記見つけた前記要求者の識別子および前記見つけた前記グループの各識別子のそれぞれについて、
当該識別子を前記権利データにリストされた各識別子と比較して、
前記比較した識別子が一致する識別子であるかどうかを認識して、
その結果少なくとも２つの一致する識別子を得ることと、
前記一致する識別子の１つを選択することと、
前記選択した一致識別子と関連付けられた前記権利を用いて前記要求者に前記ライセンスを発行することと
を備えたことを特徴とする請求項８に記載のコンピュータ可読媒体。
【請求項１３】
前記方法は、前記要求者に最大の権利を譲渡する前記一致する識別子を選択することを備えたことを特徴とする請求項１２に記載のコンピュータ可読媒体。
【請求項１４】
前記権利データ中の各識別子は、対応する優先度の印を有し、前記方法は、最大の優先度の印を有する前記一致する識別子を選択することを備えたことを特徴とする請求項１２に記載のコンピュータ可読媒体。
【請求項１５】
ライセンサが要求者にデジタルライセンスを発行して前記要求者が対応するデジタルコンテンツをレンダリングすることができるようにするための方法であって、前記要求者はグループのメンバであり、前記方法は、
前記要求者から要求を受け取ることであって、前記要求は、前記グループを識別する識別子を含む送信された証明書と、前記コンテンツと関連付けられた権利データを含む署名済み権利ラベルとを含み、前記権利データは、複数の識別子とリストされた各識別子について該識別子と関連付けられた権利とをリストすることと、
前記要求の前記グループ識別子を、前記権利データにリストされた前記複数の識別子のそれぞれと比較して一致を見つけることと、
前記一致するグループ識別子と関連付けられた前記権利データの権利を用いて前記要求者に前記ライセンスを発行することであって、前記発行されたライセンスは、前記グループの公開鍵に従って暗号化された前記コンテンツに対応するコンテンツ鍵を含み、それにより前記要求者は、前記グループの前記公開鍵に対応する前記グループの秘密鍵を用いて前記コンテンツ鍵を取得することができることと
を備えることを特徴とする方法。
【請求項１６】
前記グループを識別する前記識別子を有するデジタル証明書を含む要求を前記要求者から受け取ることを備えることを特徴とする請求項１５に記載の方法。
【請求項１７】
前記権利データと該権利データに基づくデジタル署名を含む要求を前記要求者から受け取ることを備えることを特徴とする請求項１５に記載の方法。
【請求項１８】
前記デジタル署名を検証することをさらに備えることを特徴とする請求項１７に記載の方法。
【請求項１９】
前記ライセンサは、前記グループについてのリストを含むディレクトリへのアクセスを有し、前記リストは、前記グループの識別子と、前記要求者を含む前記グループの各メンバの識別子とを含み、前記方法は、
前記要求者から該要求者の識別子を受け取ることと、
前記グループの識別子に基づき、前記グループのリストを前記ディレクトリで見つけることと、
前記ディレクトリで見つけた前記グループのリストが前記要求者の識別子を含むことを検証することと
をさらに備えることを特徴とする請求項１５に記載の方法。
【請求項２０】
ライセンサが要求者にデジタルライセンスを発行して前記要求者が対応するデジタルコンテンツをレンダリングすることができるようにするための方法を実行するコンピュータ実行可能命令が格納されたコンピュータ可読媒体であって、前記要求者はグループのメンバであり、前記方法は、
前記要求者から要求を受け取ることであって、前記要求は、前記グループを識別する識別子を含む送信された証明書と、前記コンテンツと関連付けられた権利データを含む署名済み権利ラベルとを含み、前記権利データは、複数の識別子とリストされた各識別子について該識別子と関連付けられた権利とをリストすることと、
前記要求の前記グループ識別子を、前記権利データにリストされた前記複数の識別子のそれぞれと比較して一致を見つけることと、
前記一致するグループ識別子と関連付けられた前記権利データの権利を用いて前記要求者に前記ライセンスを発行することであって、前記発行されたライセンスは、前記グループの公開鍵に従って暗号化された前記コンテンツに対応するコンテンツ鍵を含み、それにより前記要求者は、前記グループの前記公開鍵に対応する前記グループの秘密鍵を用いて前記コンテンツ鍵を取得することができることと
を備えたことを特徴とするコンピュータ可読媒体。
【請求項２１】
前記方法は、前記グループを識別する前記識別子を有するデジタル証明書を含む要求を前記要求者から受け取ることを備えたことを特徴とする請求項２０に記載のコンピュータ可読媒体。
【請求項２２】
前記方法は、前記権利データと該権利データに基づくデジタル署名を含む要求を前記要求者から受け取ることを備えたことを特徴とする請求項２０に記載のコンピュータ可読媒体。
【請求項２３】
前記方法は、前記デジタル署名を検証することをさらに備えたことを特徴とする請求項２２に記載のコンピュータ可読媒体。
【請求項２４】
前記ライセンサは、前記グループについてのリストを含むディレクトリへのアクセスを有し、前記リストは、前記グループの識別子と、前記要求者を含む前記グループの各メンバの識別子とを含み、前記方法は、
前記要求者から該要求者の識別子を受け取ることと、
前記グループの識別子に基づき、前記グループのリストを前記ディレクトリで見つけることと、
前記ディレクトリで見つけた前記グループのリストが前記要求者の識別子を含むことを検証することと
をさらに備えたことを特徴とする請求項２０に記載のコンピュータ可読媒体。
【請求項２５】
ライセンサが要求者にデジタルライセンスを発行して前記要求者が対応するデジタルコンテンツをレンダリングすることができるようにするための方法であって、前記要求者はグループのメンバであり、前記ライセンサは、前記グループについてのリストを含むディレクトリへのアクセスを有し、前記リストは、前記要求者を含む前記グループの各メンバの識別子を含み、前記方法は、
前記グループを識別する識別子および前記要求者を識別する識別子を含む送信された証明書と、前記コンテンツと関連付けられた権利データを含む署名済み権利ラベルとを含む要求を前記要求者から受け取ることであって、前記権利データは、複数の識別子とリストされた各識別子について該識別子と関連付けられた権利とをリストすることと、
前記要求の前記グループ識別子を、前記権利データにリストされた前記複数の識別子のそれぞれと比較して一致を見つけることと、
前記グループの識別子に基づき、前記グループのリストを前記ディレクトリで見つけることと、
前記見つけたリストから、前記要求者の識別子が該リストに含まれることを検証することと、
前記一致するグループ識別子と関連付けられた前記権利データの権利を用いて前記要求者に前記ライセンスを発行することであって、前記発行されたライセンスは、前記要求者の公開鍵に従って暗号化された前記コンテンツに対応するコンテンツ鍵を含み、それにより前記要求者は、前記グループの前記公開鍵に対応する前記要求者の秘密鍵を用いて前記コンテンツ鍵を取得できることと
を備えることを特徴とする方法。
【請求項２６】
前記グループを識別する前記識別子を有するデジタル証明書を含む要求を前記要求者から受け取ることを備えることを特徴とする請求項２５に記載の方法。
【請求項２７】
前記要求者を識別する前記識別子を有するデジタル証明書を含む要求を前記要求者から受け取ることを備えることを特徴とする請求項２５に記載の方法。
【請求項２８】
前記デジタル証明書から前記要求者の前記公開鍵を取得することをさらに備えることを特徴とする請求項２７に記載の方法。
【請求項２９】
前記権利データと該権利データに基づくデジタル署名を含む要求を前記要求者から受け取ることを備えることを特徴とする請求項２５に記載の方法。
【請求項３０】
前記デジタル署名を検証することをさらに備えることを特徴とする請求項２９に記載の方法。
【請求項３１】
ファイル上のデジタル証明書は前記要求者の前記識別子を含み、該デジタル証明書から前記要求者の前記公開鍵を取得することをさらに備えることを特徴とする請求項２５に記載の方法。
【請求項３２】
ライセンサが要求者にデジタルライセンスを発行して前記要求者が対応するデジタルコンテンツをレンダリングすることができるようにするための方法を実行するコンピュータ実行可能命令が格納されたコンピュータ可読媒体であって、前記要求者はグループのメンバであり、前記ライセンサは、前記グループについてのリストを含むディレクトリへのアクセスを有し、前記リストは、前記要求者を含む前記グループの各メンバの識別子を含み、前記方法は、
前記グループを識別する識別子および前記要求者を識別する識別子を含む送信された証明書と、前記コンテンツと関連付けられた権利データを含む署名済み権利ラベルとを含む要求を前記要求者から受け取ることであって、前記権利データは、複数の識別子とリストされた各識別子について該識別子と関連付けられた権利とをリストすることと、
前記要求の前記グループ識別子を、前記権利データにリストされた前記複数の識別子のそれぞれと比較して一致を見つけることと、
前記グループの識別子に基づき、前記グループのリストを前記ディレクトリで見つけることと、
前記見つけたリストから、前記要求者の識別子が該リストに含まれることを検証することと、
前記一致するグループ識別子と関連付けられた前記権利データの権利を用いて前記要求者に前記ライセンスを発行することであって、前記発行されたライセンスは、前記要求者の公開鍵に従って暗号化された前記コンテンツに対応するコンテンツ鍵を含み、それにより前記要求者は、前記要求者の公開鍵に対応する前記要求者の秘密鍵を用いて前記コンテンツ鍵を取得できることと
を備えたことを特徴とするコンピュータ可読媒体。
【請求項３３】
前記方法は、前記グループを識別する前記識別子を有するデジタル証明書を含む要求を前記要求者から受け取ることを備えたことを特徴とする請求項３２に記載のコンピュータ可読媒体。
【請求項３４】
前記方法は、前記要求者を識別する前記識別子を有するデジタル証明書を含む要求を前記要求者から受け取ることを備えたことを特徴とする請求項３２に記載のコンピュータ可読媒体。
【請求項３５】
前記方法は、前記デジタル証明書から前記要求者の前記公開鍵を取得することをさらに備えたことを特徴とする請求項３４に記載のコンピュータ可読媒体。
【請求項３６】
前記方法は、前記権利データと該権利データに基づくデジタル署名を含む要求を前記要求者から受け取ることを備えたことを特徴とする請求項３２に記載のコンピュータ可読媒体。
【請求項３７】
前記方法は、前記デジタル署名を検証することをさらに備えたことを特徴とする請求項３６に記載のコンピュータ可読媒体。
【請求項３８】
前記方法は、ファイル上のデジタル証明書が前記要求者の前記識別子を含み、該デジタル証明書から前記要求者の前記公開鍵を取得することをさらに備えたことを特徴とする請求項３２に記載のコンピュータ可読媒体。